(57)【要約】【課題】ユーザビリティを向上させること。【解決手段】実施形態に係る車載装置は、検出部と、目的地画像表示部と、表示制御部とを備える。検出部は、目的地点付近のカメラ画像の表示要望に該当するシチュエーションを検出する。目的地画像表示部は、検出部によって検出されたシチュエーションに基づく目的地点付近が撮像されたカメラ画像である目的画像を表示する。表示制御部は、目的地点の俯瞰画像を経て、目標画像を表示するように表示制御を行う。【選択図】図２
2020123071.tif 000002
【特許請求の範囲】
【請求項１】
目的地点付近のカメラ画像の表示要望に該当するシチュエーションを検出する検出部と、
前記検出部によって検出されたシチュエーションに基づく目的地点付近が撮像されたカメラ画像である目的画像を表示する目的地画像表示部と、
前記目的地点付近の俯瞰画像を経て、前記目的画像を表示するように表示制御を行う表示制御部と
を備えることを特徴とする車載装置。
【請求項２】
前記表示制御部は、
自車両の現在地付近および前記目的地点付近を含む広域の前記俯瞰画像である広域画像から徐々に目的地点付近を拡大した前記俯瞰画像である狭域画像を表示させること
を特徴とする請求項１に記載の車載装置。
【請求項３】
前記表示制御部は、
自車両位置付近が中心の詳細俯瞰画像から広域俯瞰画像にその中心位置が徐々に目的地点に移動するように画像が変化し、その後、自車両位置付近と目的地点付近の両方が表示される広域俯瞰画像となり、その後俯瞰画像の中心は徐々に目的地点に移動し、さらに広域俯瞰画像から詳細俯瞰画像に変化させること
を特徴とする請求項１または２に記載の車載装置。
【請求項４】
前記表示制御部は、
実画像俯瞰画像から前記目的画像に遷移するように、イラスト俯瞰画像と実画像俯瞰画像の表示を変化させること
を特徴とする請求項１、２または３に記載の車載装置。
【請求項５】
前記表示制御部は、
前記俯瞰画像の後に、自車両の現在地から前記目的地点までの経路上を仮想的に移動する視点画像を表示させること
を特徴とする請求項１〜４のいずれか一つに記載の車載装置。
【請求項６】
前記俯瞰画像の表示領域に存在する周辺車両を示すアニメーション画像を生成する生成部
をさらに備え、
前記表示制御部は、
前記生成部によって生成された前記アニメーション画像を前記俯瞰画像へ重畳して表示させること
を特徴とする請求項１〜５のいずれか一つに記載の車載装置。
【請求項７】
前記生成部は、
前記周辺車両の実際の進行情報を反映させた前記アニメーション画像を生成すること
を特徴とする請求項６に記載の車載装置。
【請求項８】
前記シチュエーションに基づき設定される目的地点を補正する補正部
を備えることを特徴とする請求項１〜７のいずれか一つに記載の車載装置。
【請求項９】
目的地点付近のカメラ画像の表示要望に該当するシチュエーションを検出する検出工程と、
前記検出工程によって検出されたシチュエーションに基づく目的地点付近が撮像されたカメラ画像である目的画像を表示する目的地画像表示工程と、
前記目的地点付近の俯瞰画像を経て、前記目的画像を表示するように表示制御を行う表示制御工程と
を含むことを特徴とする表示方法。
【発明の詳細な説明】
【技術分野】
【０００１】
本発明は、車載装置および表示方法に関する。
【背景技術】
【０００２】
従来、例えば、車両に搭載されたドライブレコーダなどの車載装置で撮像されたカメラ画像を他の車載装置へ配信する車載システムがある。このような車載システムでは、ユーザがリアルタイムで所望する位置のカメラ映像を確認することができる（例えば、特許文献１参照）。
【先行技術文献】
【特許文献】
【０００３】
【特許文献１】特開２０１０−２３８２０９号公報
【発明の概要】
【発明が解決しようとする課題】
【０００４】
しかしながら、従来技術では、ユーザビリティを向上させるうえで、改善の余地があった。すなわち、従来技術では、カメラ画像を取得する車載装置を選択するためのユーザ操作を必要とし、また、ユーザが、カメラ画像の撮像位置を把握するのが容易でなかった。
【０００５】
本発明は、上記に鑑みてなされたものであって、ユーザビリティを向上させることができる車載装置および表示方法を提供することを目的とする。
【課題を解決するための手段】
【０００６】
上述した課題を解決し、目的を達成するために、本発明に係る車載装置は、検出部と、目的地画像表示部と、表示制御部とを備える。前記検出部は、目的地点付近のカメラ画像の表示要望に該当するシチュエーションを検出する。前記目的地画像表示部は、前記検出部によって検出されたシチュエーションに基づく目的地点付近が撮像されたカメラ画像である目的画像を表示する。前記表示制御部は、前記目的地点付近の俯瞰画像を経て、前記目的画像を表示するように表示制御を行う。
【発明の効果】
【０００７】
本発明によれば、ユーザビリティを向上させることができる。
【図面の簡単な説明】
【０００８】
【図１Ａ】図１Ａは、通信システムの概要を示す図である。
【図１Ｂ】図１Ｂは、表示方法の概要を示す図である。
【図１Ｃ】図１Ｃは、表示画像の遷移図の一例を示す図である。
【図２】図２は、車載装置のブロック図である。
【図３】図３は、送信リスト情報の具体例を示す図である。
【図４】図４は、検出条件情報の一例を示す図である。
【図５】図５は、補正部による処理の具体例を示す図である。
【図６】図６は、生成部による処理の具体例を示す図（その１）である。
【図７】図７は、生成部による処理の具体例を示す図（その２）である。
【図８】図８は、生成部による処理の具体例を示す図（その３）である。
【図９】図９は、生成部による処理の具体例を示す図（その４）である。
【図１０】図１０は、管理サーバのブロック図である。
【図１１】図１１は、車載装置が実行する処理手順を示すフローチャートである。
【図１２】図１２は、管理サーバが実行する処理手順を示すフローチャートである。
【発明を実施するための形態】
【０００９】
以下、添付図面を参照して、本願の開示する車載装置および表示方法の実施形態を詳細に説明する。なお、以下に示す実施形態により本発明が限定されるものではない。
【００１０】
まず、図１Ａ〜図１Ｃを用いて、実施形態に係る車載装置および表示方法の概要について説明する。図１Ａは、車載システムの概要を示す図である。図１Ｂは、表示方法の概要を示す図である。図１Ｃは、表示画像の遷移図の一例を示す図である。なお、実施形態に係る表示方法は、図１Ａに示す各車載装置１と、管理サーバ１００とがデータを送受信することで実行される。
【００１１】
図１Ａに示すように、実施形態に係る通信システムＳは、各車両Ｃに搭載された車載装置１と、管理サーバ１００とを含む。車載装置１は、例えば、通信機能を備えたドライブレコーダである。車載装置１は、撮像したカメラ画像や、車両Ｃの位置情報、走行状態に関する情報などを所定周期で管理サーバ１００へ送信する。
【００１２】
管理サーバ１００は、各車載装置１から送信された情報を例えば、データベースで管理するサーバ装置である。また、車載装置１は、他の車載装置１で撮像されたカメラ画像を管理サーバ１００を介さずにリアルタイムで受信することも可能である。
【００１３】
尚、ここでいうリアルタイムとは、配信車両が受信車両へ送信するカメラ画像を、配信車両が取得した時間と同じ時間、または少なくとも受信遅れが感じないレベルで配信車両と受信車両間でカメラ映像が送受される状態をリアルタイムと定義している。
【００１４】
ところで、近年、ネットワークの普及に伴い、車載装置が、他の車載装置で撮像されたカメラ画像を取得し、車内のディスプレイに表示する車載システムが普及しつつある。しかしながら、従来技術においては、ユーザビリティの向上を図るうえで改善の余地があった。
【００１５】
例えば、従来技術においては、カメラ画像を取得する車載装置を選択するためのユーザ操作を必要とし、また、ユーザがカメラ画像の撮像位置を把握するのが容易でなかった。
【００１６】
そこで、実施形態に係る表示方法では、ユーザがカメラ画像の要求を意図するシチュエーションを検出し、シチュエーションに基づく目的地点のカメラ画像を取得するとともに、取得したカメラ画像の表示に先立って、目的地点の俯瞰画像を表示する。
【００１７】
具体的には、図１Ｂに示すように、例えば、車両Ｃが渋滞に遭遇したシチュエーションを想定する。かかるシチュエーションにおいては、車両Ｃの乗員は、「渋滞の原因は何だろう」と思考することがある。
【００１８】
このため、実施形態に係る表示方法では、車両Ｃが渋滞に遭遇するというシチュエーションを検出すると（ステップＳ１）、シチュエーションに基づく目的地点が撮像されたカメラ画像である目的画像を取得する（ステップＳ２）。
【００１９】
例えば、実施形態に係る表示方法では、車両Ｃの位置情報や、渋滞情報に基づき、車両Ｃが渋滞に遭遇するシチュエーションを検出することができる。
【００２０】
上記の例において、目的地点は、渋滞の先頭であり、車載装置１は、目的地点の通過車両の車載装置１から目的画像を受信することとなる。実施形態に係る表示方法では、目的画像をユーザへ提示することで、ユーザは、渋滞の原因を特定することが可能となる。
【００２１】
さらに、実施形態に係る表示方法では、目的地点の俯瞰画像を表示した後に、目的画像を表示させる表示制御を行う（ステップＳ３）。具体的には、図１Ｃに示すように、実施形態に係る表示方法では、例えば、現在表示中のナビゲーション画像Ｌｎから目的地点の俯瞰画像Ｌｖ１〜Ｌｖ２を経て、目的画像Ｌｔを表示させる。
【００２２】
なお、俯瞰画像Ｌｖ１および俯瞰画像Ｌｖ２は、縮尺が異なる俯瞰画像Ｌｖであり、俯瞰画像Ｌｖ２の方が俯瞰画像Ｌｖ１よりも縮尺が小さい画像である。すなわち、同図に示す例では、実施形態に係る表示方法において、目的地点を徐々にズームアップした俯瞰画像Ｌｖを表示させた後に、目的地点の目的画像Ｌｔが表示される。
【００２３】
このように、実施形態に係る表示方法では、ユーザがカメラ画像の要求を意図するシチュエーションを検出し、シチュエーションに基づく目的地点のカメラ画像を取得する。これにより、ユーザ操作が不要となる。
【００２４】
また、実施形態に係る表示方法では、目的画像Ｌｔに先立って、目的地点を示す俯瞰画像を表示させる。特に、実施形態に係る表示方法では、目的地点をシステム側で選別するため、乗員に対して目的地点を早急に認識させるうえで、俯瞰画像が有効となる。
【００２５】
これにより、ユーザが目的地点を容易に把握することができる。したがって、実施形態に係る表示方法によれば、ユーザビリティを向上させることが可能となる。なお、同図に示す例では、説明の便宜上、２種類の俯瞰画像Ｌｖを示しているが、３種類以上の俯瞰画像Ｌｖを用いることにしてもよい。
【００２６】
例えば、自車両付近の周囲状況（自車両付近を中心としたやや広域の俯瞰画像）〜自車両と目的地点の位置関係（自車両付近と目的地付近の両方を含む広域の俯瞰画像）〜目的地点付近の周囲状況（目的地点付近を中心としたやや広域の俯瞰画像）の順で表示を徐々に変化させることにより、道路状況等の全貌・詳細を知ることができる。また、詳細図に衛星写真等の実画を用いる等、適宜実画とイラスト画を切り替えることにより、情報の特性に応じたわかりやすい表示となる。
【００２７】
次に、図２を用いて実施形態に係る車載装置１の構成例について説明する。図２は、車載装置１のブロック図である。図２に示すように、実施形態に車載装置１は、カメラ３１、車載センサ３２、ＧＰＳ（Global  Positioning  System）装置３３、ナビゲーション装置３４および端末装置３５が接続される。
【００２８】
カメラ３１は、車両Ｃの周囲を撮像するカメラであり、所定のフレームレートでカメラ画像を生成する。車載センサ３２は、車両Ｃの走行状態や、エンジン等の各種車載機器の状態等を検出する各種センサである。
【００２９】
具体的には、例えばＣＡＮ‐ＢＵＳ（車内ＬＡＮ）上に流れる、車速、ブレーキ、ステアリング操舵角度、ヨーレート等が含まれ、車両の走行状態に関する情報だけでなく、車両を識別するための情報も含まれる。
【００３０】
ＧＰＳ装置３３は、車両の現在地を測位する装置である。ナビゲーション装置３４は、乗員によって設定された車両Ｃの目的地までの走行経路を設定する装置である。端末装置３５は、所謂テレマティクスサービスを実現するために例えば、携帯通信網を介して車載装置１と管理サーバ１００との間で情報を送受信するための通信機能を備えた通信モジュールである。便宜上、車載装置１と別体で図示しているが車載装置１に含まれる構成であってもよい。また、を車両Ｃの乗員が所有するスマートフォン、タブレット端末等の可搬性の通信機器であってもよい。さらには、端末装置３５にＧＰＳ装置３３が一体となった構成でもよい。
【００３１】
また、図２に示すように、車載装置１は、出力した映像やカメラ画像などの画像を表示する表示装置５０に接続される。表示装置５０は、表示部５１および操作部５２を備える。
【００３２】
表示部５１は、例えば、有機ＥＬや、液晶ディスプレイで構成されたタッチパネルディスプレイであり、車載装置１から出力される映像信号を表示する。なお、表示部５１は、目的地画像表示部の一例である。操作部５２は、表示部５１に表示された映像または画像に基づき、乗員からの所定操作を受け付ける。
【００３３】
例えば、操作部５２は、配信車両の選択操作などを受け付けることができる。また、操作部５２は、カメラ画像を時系列に並べたカメラ映像の再生、停止、巻き戻し等の各種操作を受け付けることも可能である。また、ユーザは、操作部５２を介して、過去に撮像されたカメラ画像の配信を要求することも可能である。
【００３４】
すなわち、実施形態に係る通信システムＳでは、カメラ画像のリアルタイム配信に加え、過去に撮像されたカメラ画像を後から配信することも可能である。なお、操作部５２を例えば、表示装置５０とは別に設けることにしてもよい。
【００３５】
図２に示すように、車載装置１は、制御部１０と、記憶部２０とを備える。制御部１０は、送信部１１と、検出部１２と、補正部１３と、受信部１４と、生成部１５と、表示制御部１６とを備える。
【００３６】
制御部１０は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００３７】
コンピュータのＣＰＵは、例えば、ＲＯＭに記憶されたプログラムを読み出して実行することによって、制御部１０の送信部１１、検出部１２、補正部１３、受信部１４、生成部１５および表示制御部１６として機能する。
【００３８】
また、制御部１０の送信部１１、検出部１２、補正部１３、受信部１４、生成部１５および表示制御部１６の少なくともいずれか一部または全部をＡＳＩＣ（Application  Specific  Integrated  Circuit）やＦＰＧＡ（Field  Programmable  Gate  Array）等のハードウェアで構成することもできる。
【００３９】
また、記憶部２０は、例えば、ＲＡＭやＨＤＤに対応する。ＲＡＭやＨＤＤは、送信リスト情報２１、検出条件情報２２、地図情報２３および俯瞰画像情報２４を記憶する。なお、車載装置１は、有線や無線のネットワークで接続された他のコンピュータや可搬型記録媒体を介して上記したプログラムや各種情報を取得することとしてもよい。
【００４０】
送信リスト情報２１は、各車載装置１が管理サーバ１００へ送信するデータのリストに関する情報である。図３は、送信リスト情報２１の具体例を示す図である。図３に示すように、送信リスト情報２１には、位置情報、センサ情報、画像情報、エリア情報、経路情報、検索履歴情報などが含まれる。
【００４１】
送信リスト情報２１は、各車載装置１が管理サーバ１００へ送信するデータのリストに関する情報である。図３は、送信リスト情報２１の具体例を示す図である。図３に示すように、送信リスト情報２１には、位置情報、車両情報、映像情報、エリア情報、経路情報、検索履歴情報などが含まれる。
【００４２】
位置情報は、車両の現在地に関する情報であり、車載装置１がＧＰＳ装置３３から通知される情報である。車両情報は、車載センサ３２によって検出された各種車両情報の値に関する情報である。
【００４３】
映像情報は、カメラ３１によって撮像されたカメラ画像に関する情報である。エリア情報は、ナビゲーション装置３４のナビゲーション画像に表示されるエリアに関する情報である。例えば、エリア情報は、ナビゲーション画像の更新毎に、管理サーバ１００へ通知される。
【００４４】
経路情報は、ナビゲーション装置３４において設定された目的地および目的地までの走行予定経路に関する情報である。検索履歴情報は、例えば、端末装置３５によって検索されたＷｅｂ検索履歴に関する情報である。例えば、車載装置１は、端末装置３５から検索履歴情報を取得することができる。なお、図３に示す送信リスト情報２１は、一例であり、任意に変更することにしてもよい。
【００４５】
図２の説明に戻り、検出条件情報２２について説明する。検出条件情報２２は、自車両の乗員がカメラ画像の要求を意図するシチュエーションを検出するための検出条件に関する情報である。図４は、検出条件情報２２の一例を示す図である。
【００４６】
図４に示すように、検出条件情報２２は、条件ＩＤ、シチュエーションおよび目的地点などが互いに対応付けられた情報である。条件ＩＤは、検出条件を識別するための識別子である。シチュエーションは、検出条件を示す局面を示す。また、目的地点は、カメラ画像を取得すべき、撮像地点を示す。
【００４７】
図４に示す例において、条件ＩＤ「０００１」のシチュエーションは、車両Ｃの渋滞遭遇であり、目的地点は、渋滞の先頭である。条件ＩＤ「０００１」は、渋滞の原因が知りたいと考える乗員の心理に基づくものである。
【００４８】
また、条件ＩＤ「０００２」のシチュエーションは、例えば、高速道路などにおける本線合流前であり、目的地点は、本線への合流地点である。条件ＩＤ「０００２」は、合流地点の混雑状況を知りたいと考える乗員の心理に基づくものである。
【００４９】
また、条件ＩＤ「０００３」のシチュエーションは、目的地周辺到着であり、目的地点は、目的地付近の駐車場である。条件ＩＤ「０００３」は、目的地周辺の駐車場の混雑状況を知りたいと考える乗員の心理に基づくものである。
【００５０】
また、条件ＩＤ「０００４」のシチュエーションは、目的地設定であり、目的地点は、目的地である。条件ＩＤ「０００４」は、目的地の現在の様子を知りたいと考えるユーザの心理に基づくものである。条件ＩＤ「０００４」においては、例えば、目的地が店舗である場合、ユーザは、目的地の混雑状況のみならず、現在、営業しているかを事前に把握することができる。
【００５１】
また、条件ＩＤ「０００５」のシチュエーションは、現在地の天候の変化であり、目的地点は、目的地周辺である。条件ＩＤ「０００５」は、現在地の天候が変化したが、目的地の天候はどうなったかを知りたいと考える乗員の思考に基づくものである。
【００５２】
なお、図４に示す検出条件は、一例であり、任意に変更することができる。また、シチュエーションや、目的地点をさらに細分化することにしてもよい。例えば、条件ＩＤ「０００４」のシチュエーションにおける「目的地設定」を「目的地として店舗を設定」とすることなど、適宜変更することが可能である。
【００５３】
図２の説明に戻り、地図情報２３について説明する。地図情報２３は、道路や建造物の位置を示す地図に関する情報である。俯瞰画像情報２４は、例えば、地図を上空から見た俯瞰画像に関する情報である。例えば、俯瞰画像情報２４には、衛星写真や航空写真などの実画像や、かかる実画像を模造したイラスト画像が含まれる。
【００５４】
制御部１０は、上記のシチュエーションを検出し、シチュエーションに基づく目的地点の目的画像を取得するとともに、目的画像に先立って、目的地点の俯瞰画像Ｌｖを表示させる。
【００５５】
送信部１１は、撮像したカメラ画像や、車両Ｃの位置情報、走行状態に関する情報などを所定周期で管理サーバ１００へ送信する。具体的には、送信部１１は、記憶部２０に記憶された送信リスト情報２１に基づき、送信データを生成し、管理サーバ１００へ送信する。
【００５６】
この際、送信部１１は、送信リスト情報２１に記載された情報が含まれる送信データを生成する必要はなく、データを選別して送信データを生成することにしてもよい。具体的には、例えば、送信部１１は、車両情報に含まれる、例えば急ブレーキが踏まれた時に検出されるブレーキ情報や急舵角操作の時に検出されるステアリング操舵に関する情報や、映像情報を送信することにしてもよい。
【００５７】
また、ここでは便宜上、急ブレーキが踏まれた時や急操舵操作時と言った各シーンと、各シーンに対する単一の車両情報を組み合わせた情報および映像情報を送信することと記載しているが、各シーンを細かく判定するために、各シーンに紐づく車両情報を少なくとも２つ以上用いて判定したり、少なくとも２つ以上の変化率などを判定基準として用いてもよい。
【００５８】
検出部１２は、自車両の乗員がカメラ画像の要求を意図するシチュエーションを所定の検出条件に基づいて検出する。具体的には、例えば、検出部１２は、例えば、車載センサ３２や、ＧＰＳ装置３３、ナビゲーション装置３４および端末装置３５から入力されるデータを解析し、検出条件情報２２に合致するシチュエーションを検出する。
【００５９】
また、検出部１２は、渋滞情報や交通規制などの交通情報や、天候情報などといった外部サーバから送信される情報に基づき、上記のシチュエーションを検出することもできる。
【００６０】
具体的には、図４に示したように、検出部１２は、条件ＩＤ「０００１」において、自車両が渋滞に遭遇することを自車両の走行経路や、渋滞情報に基づいて検出することができる。
【００６１】
また、図４に示した条件ＩＤ「０００２」〜「０００４」においては、自車両の走行経路および現在地と、地図情報とに基づいて検出することができる。また、条件ＩＤ「０００５」においては、現在地の天候の変化を天候情報に基づいて検出することが可能である。
【００６２】
検出部１２は、上記のシチュエーションを検出すると、目的地点を撮像可能な車両の選定を管理サーバ１００に対して要求する。また、検出部１２は、例えば、図４の条件ＩＤ「０００１」に示すように、目的地点Ｐｔが車載装置１側で判別できない場合、目的地点の選定を車両の選定とあわせて管理サーバ１００に対して要求する。
【００６３】
一方、検出部１２は、条件ＩＤ「０００２」に示すように、目的地点が車載装置１側で判別可能である場合、目的地点の位置情報を後段の処理に回す。
【００６４】
図２の説明に戻り、補正部１３について説明する。補正部１３は、受信部１４によって受信されたカメラ画像に基づいて、検出条件情報２２を補正する。例えば、補正部１３は、カメラ画像に対する乗員の反応に基づいて検出条件を補正することができる。
【００６５】
例えば、補正部１３は、表示装置５０にてカメラ画像を表示後のユーザ操作に応じて、検出条件情報２２を補正することができる。図５は、補正部１３による処理の具体例を示す図である。
【００６６】
図５に示す例では、補正部１３が、検出条件情報２２における条件ＩＤ「０００１」の目的地点を補正する場合について説明する。図５に示すように、補正部１３は、目的地点として「渋滞の先頭」が撮像されたカメラ画像を表示したものの、乗員が望む目的地点が「先頭の渋滞」でなかった場合、目的地点を補正する。
【００６７】
例えば、補正部１３は、「渋滞の先頭」のカメラ画像を表示後に、目的地点の指定を受け付ける受付画面を表示し、乗員から目的地点の指定を受け付ける。そして、補正部１３は、乗員によって指定された目的地点に基づいて、検出条件情報２２を補正する。
【００６８】
同図に示す例では、目的地点を「渋滞の先頭」から「迂回ルート」へ補正する場合を例示する。このように、補正部１３は、検出条件情報２２を補正することで、各乗員に適したシチュエーションで、シチュエーションに適した目的地点のカメラ画像を提供することが可能となる。
【００６９】
なお、図４に示す各シチュエーション毎の目的地点候補を優先順位を付加して設定しておき、例えば第１優先順位のカメラ映像を表示すると共に、下位優先順位の目的地点の選択スィッチを表示し、ユーザが下位優先順位の目的地点を選択操作した場合に当該選択した目的地点のカメラ映像を表示する方法等により、検出条件情報２２を補正したカメラ映像を表示することが可能となる。
【００７０】
なお、ここでは、説明を簡単にするため、補正部１３が、目的地点を補正する場合について説明したが、シチュエーションを補正したり、新たな検出条件を作成したりすることもできる。
【００７１】
また、補正部１３は、周囲の交通状況や天候情報などの外部因子に基づき、シチュエーションおよび目的地点のパターンを学習し、学習結果に基づいて検出条件情報２２を補正することにしてもよい。
【００７２】
図２の説明に戻り、受信部１４について説明する。受信部１４は、目的地点が撮像されたカメラ画像である目的画像を受信する。具体的には、受信部１４は、検出部１２によって上記のシチュエーションが検出された場合、目的地点を撮像する車両に搭載された車載装置１のＩＰアドレスを受信する。
【００７３】
そして、受信部１４は、送信部１１に対してＩＰアドレスに基づき、目的地点を撮像可能な車両に搭載された車載装置１（以下、配信車両と記載する）との接続要求の送信を指示する。これにより、受信部１４は、配信車両から送信される目的画像を受信することとなる。
【００７４】
ここで、目的画像は、リアルタイム配信されるカメラ画像であるが、受信部１４は、過去の所定時刻に遡及してカメラ画像を受信することも可能である。この場合、受信部１４は、送信部１１に対して、管理サーバ１００から目的画像の送信要求の送信を指示する。
【００７５】
なお、この場合、管理サーバ１００は各車両のカメラ映像を収集しておくことが必要であるが、シチュエーションの発生場所付近・発生日時前後の映像情報だけを収集・保存するようにし、またその保管期間も所定期間長とすることにより、記憶容量を低減することができる。なお、車両側装置も最新の所定期間分だけカメラ映像を保存するようにしておくことにより、管理サーバ１００のカメラ映像送信要求に対応することができ、また記憶容量も抑えることができる。
【００７６】
これにより、現在のみならず、過去の目的画像を受信することが可能となる。したがって、通信システムＳの利便性を向上させることが可能となる。すなわち、受信部１４は、例えば、事故の発生時刻における事故現場のカメラ画像などを目的画像として受信することも可能である。
【００７７】
生成部１５は、目的画像に先立って表示される例えば、上述の俯瞰画像や視点画像を生成する。図６〜図９は、生成部１５による処理の具体例を示す図である。なお、以下では、生成部１５が、目的地点Ｐｔの位置情報を既に取得しているものとして説明する。
【００７８】
まず、図６および図７を用いて、生成部１５による俯瞰画像の生成処理について説明する。なお、図６のＡに示す表示画像は、表示装置５０に表示される画像を示し、図６のＢに示す画像種別は、表示装置５０に表示される画像の種別を示す。
【００７９】
また、図６のＣに示す拡大率は、表示装置５０に表示される画像の拡大率を示す。そして、図６のＤに示す中心位置は俯瞰画像の中心位置を示す。また、ここでは、時刻ｔ１１において、俯瞰画像の表示が開始される場合について説明する。
【００８０】
図６のＡに示すように、時刻ｔ１１以前は、表示装置５０には、ナビゲーション画像が表示され、その後、俯瞰画像を経て、目的画像が表示される。ここで、例えば、ナビゲーション画像は、イラスト画像であり、目的画像は、実画像（写真または映像）である。
【００８１】
このため、図６のＢに示すように、生成部１５は、イラスト画像の俯瞰画像を生成し、その後、実画像の俯瞰画像を生成する。すなわち、イラスト画像であるナビゲーション画像から実画像である目的画像へ一度に切り替えるのではなく、俯瞰画像をイラスト画像と実画像との緩衝材として用いる。
【００８２】
これにより、イラスト画像から実画像に切り替わる際にユーザに与える違和感を軽減することができる。
【００８３】
また、図６のＣに示すように、生成部１５は、俯瞰画像が表示される時刻ｔ１１から拡大率を徐々に縮小した（徐々に広域地図化）のちに、俯瞰画像の拡大率を徐々に拡大する（徐々に詳細地図化）。このとき、生成部１５は、自車両の現在地および目的地点を含む広域画像から徐々に目的地点を拡大した狭域画像を生成する。
【００８４】
この俯瞰画像表示の際の俯瞰画像（地図）の中心位置は、図６Ｄに示すように、時刻ｔ１１から所定期間は移動せずに自車両位置とし、拡大率だけが徐々に縮小される。その後、俯瞰画像（地図）の中心位置は徐々に目的地点に移動し、拡大率が徐々に拡大して最高拡大率に達する少し前に目的地点に達する。つまり、自車両周囲のある程度広い範囲の確認が出来たのちに地図の移動が始まり、目的位置のある程度広い範囲の確認が出来たのちに目的位置近傍の詳細が確認できる状況となるので、全貌・詳細が把握しやすい表示が実現できる。
【００８５】
このように、生成部１５は、広域画像および狭域画像を生成する。そして、表示制御部１６は、広域画像、狭域画像の順に順次、表示装置５０に表示させる。これにより、自車両の乗員に対して、自車両および目的地点の位置関係を容易に把握させることが可能となる。
【００８６】
具体的には、図７に示すように、生成部１５は、表示領域の中心が現在地Ｐｎとなる表示領域Ｄａ１の広域画像を生成し、その後、例えば、縮尺を変更せずに、表示領域の中心が目的地点Ｐｔである表示領域Ｄａ２の広域画像を生成する。その後、生成部１５は、目的地点Ｐｔを中心として表示領域Ｄａ２を徐々に拡大した狭域画像を生成する。
【００８７】
つまり、表示遷移状態を詳述すると、自車両位置の中心の詳細地図から広域地図にその中心位置が徐々に目的地点に移動するように画像が変化し、ついには自車両位置と目的地点の両方が表示される広域地図となる。なお、地図画像については徐々にイラスト画像から実画像に徐々に変化する、あるいは所定タイミングで切り替わる方式であってもよい。その後、地図画像の中心は徐々に目的地点に接近し、また広域地図から詳細地図と変化する。そして、最後には目的地点の車両のカメラ撮影映像が表示される。
【００８８】
さらに、目的地点の車両のカメラ撮影映像は現在映像、所謂ライブ映像であってもよいが、事故等のイベント発生時点前後まで撮影時間が移動する映像(所謂、巻き戻し再生)や、ユーザ操作により撮影時間を変更した映像でも効果的な映像表示となり、これら表示形態を選択できるようにしてもよい。
【００８９】
なお、生成部１５は、表示領域Ｄａ１の広域画像を省略して、表示領域Ｄａ２の広域画像から生成することにしてもよい。また、広域画像には、自車両の現在地が含まれないことにしてもよい。
【００９０】
また、図８に示すように、生成部１５は、俯瞰画像において、俯瞰画像の表示領域に存在する周辺車両の位置・移動状況等を示すアニメーション画像を生成することも可能である。具体的には、例えば、生成部１５は、俯瞰画像における表示領域に関する情報を管理サーバ１００へ通知し、管理サーバ１００から表示領域に存在する周辺画像の実際の走行速度、走行向きなどに関する走行情報を取得する。
【００９１】
そして、生成部１５は、上記の走行情報に基づき、周辺車両を示すアニメーション画像Ｉｃ１〜Ｉｃ３を生成する。また、生成部１５は、各アニメーション画像Ｉｃ１〜Ｉｃ３に対して、進行方向を示す矢印Ａ１〜Ａ３を生成する。
【００９２】
矢印Ａ１〜Ａ３は、それぞれ周辺車両の走行する向きを示し、矢印Ａ１〜Ａ３の色（ここではハッチング）は、自車両に対する各周辺車両の相対速度を示す。例えば、矢印Ａ１は、自車両よりも周辺車両の速度が速いことを示し、矢印Ａ２は、自車両よりも周辺車両の速度が遅いことを示す。また、矢印Ａ３は、周辺車両の速度が自車両と同等であることを示す。
【００９３】
このように、生成部１５は、アニメーション画像Ｉｃや矢印Ａを生成することで、自車両の乗員に対して、周辺車両の現在（過去画像である場合は当時）の様子を容易に把握させることが可能となる。なお、ここでは、各矢印Ａ１〜Ａ３の色によって、周辺車両の走行速度を示す場合について説明したが、例えば、走行速度によって矢印の長さや太さや大きさを変更するなど、その他、実際に走行している車両の挙動を実際の映像でない別の画で模擬していることを特徴とするような手法を用いることにしてもよい。
【００９４】
ところで、生成部１５は、自車両の現在地から目的地点までの経路上を仮想的に移動する視点画像を生成することも可能である。具体的には、図９に示すように、自車両ＭＣが渋滞の先頭である目的地点Ｐｔの目的画像を受信する場合を想定する。
【００９５】
この場合、例えば、生成部１５は、自車両ＭＣから目的地点Ｐｔまでの経路上を移動する視点画像Ｌｐを生成する。具体的には、生成部１５は、図９に示す仮想カメラＶｃを矢印に沿って移動させた視点画像Ｌｐ１〜Ｌｐ３を生成することができる。
【００９６】
例えば、生成部１５は、各前方車両からカメラ画像を受信して、受信したカメラ画像を撮像位置に応じて繋ぎ合わせることで、視点画像Ｌｐ１〜Ｌｐ３を生成することができる。また、反対車線を走行する車両の撮影映像を逆方向に再生すると言った方法も、中間地点の概要を知ると言った程度の簡易的表示としては有効である。
【００９７】
また、生成部１５は、前方車両の位置情報に基づき、各前方車両のポリゴン画像を生成し、生成したポリゴン画像を例えば、３次元の地図画像に重畳することで、視点画像Ｌｐ１〜Ｌｐ３を生成することにしてもよい。
【００９８】
このように、生成部１５は、視点画像Ｌｐを生成することで、自車両ＭＣの乗員に対して、現在地から目的地点Ｐｔまでの距離感や経路を容易に把握させることができる。
【００９９】
図２の説明に戻り、表示制御部１６について説明する。表示制御部１６は、目的地点Ｐｔの俯瞰画像を経て、受信部１４によって受信された目的画像を表示させる。
【０１００】
具体的には、表示制御部１６は、例えば、検出部１２によって上記のシチュエーションが検出された場合に、生成部１５によって生成された俯瞰画像を表示させ、俯瞰画像を経て、目的画像を表示させる。
【０１０１】
表示制御部１６は、例えば、表示装置５０にナビゲーション画像が表示中である場合、徐々に倍率を縮小する俯瞰画像を表示させ、その後、目的地点Ｐｔを拡大して示す俯瞰画像を表示させる。このとき、上述のように、俯瞰画像においては、イラスト画像から実画像へ切り替わることとなる。
【０１０２】
また、表示制御部１６は、俯瞰画像において、アニメーション画像Ｉｃ（図８参照）を重畳して表示させたり、表示制御部１６は、俯瞰画像を表示させた後、視点画像Ｌｐ（図９参照）を表示させたりすることも可能である。また、表示形態(位置・縮尺等)は維持したまま、時間軸を移動した映像を表示することも、映像の収集・編集条件を規定することにより可能である。このような表示を行うことにより、道路状態や発生イベントの全貌や詳細をいろんな視点、切り口から把握することができる。
【０１０３】
次に、図１０を用いて実施形態に係る管理サーバ１００の構成例について説明する。図１０は、管理サーバ１００のブロック図である。図１０に示すように、管理サーバ１００は、交通情報サーバ２０１、天候情報サーバ２０２およびＳＮＳ（Social  Networking  Service）サーバ２０３に接続される。なお、交通情報サーバ２０１、天候情報サーバ２０２およびＳＮＳサーバ２０３は、外部装置の一例である。
【０１０４】
交通情報サーバ２０１は、渋滞に関する情報や交通規制に関する情報、交通事故に関する情報等を管理するサーバである。天候情報サーバ２０２は、天候に関する情報を管理するサーバであり、ゲリラ豪雨に関する情報などを管理サーバ１００へ通知する。ＳＮＳサーバ２０３は、ＳＮＳを管理するサーバである。
【０１０５】
管理サーバ１００は、各車載装置１の現在地に関する情報や、各車載装置１で撮像されたカメラ画像等を管理するサーバ装置である。図１０に示すように、管理サーバ１００は、制御部１１０と、記憶部１２０とを備える。
【０１０６】
制御部１１０は、取得部１１１と、選択部１１２と、通知部１１３とを備える。制御部１１０は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【０１０７】
コンピュータのＣＰＵは、例えば、ＲＯＭに記憶されたプログラムを読み出して実行することによって、制御部１１０の取得部１１１、選択部１１２および通知部１１３として機能する。
【０１０８】
また、制御部１１０の取得部１１１、選択部１１２および通知部１１３の少なくともいずれか一部または全部をＡＳＩＣ（Application  Specific  Integrated  Circuit）やＦＰＧＡ（Field  Programmable  Gate  Array）等のハードウェアで構成することもできる。
【０１０９】
また、記憶部１２０は、例えば、ＲＡＭやＨＤＤに対応する。ＲＡＭやＨＤＤは、ユーザ情報ＤＢ１２１、位置情報ＤＢ１２２、車両情報ＤＢ１２３、画像情報ＤＢ１２４および検出条件ＤＢ１２５を記憶する。なお、管理サーバ１００は、有線や無線のネットワークで接続された他のコンピュータや可搬型記録媒体を介して上記したプログラムや各種情報を取得することとしてもよい。
【０１１０】
ユーザ情報ＤＢ１２１は、例えば、各車載装置１が搭載される車両の乗員（例えば、所有者）に関するデータベースである。例えば、ユーザ情報ＤＢ１２１には、車載装置ＩＤ、ＩＰアドレス、現在地、目的地、走行経路等が互いに対応付けられたテーブルを記憶する。
【０１１１】
位置情報ＤＢ１２２は、各車両Ｃの位置情報を管理するデータベースである。例えば、位置情報ＤＢ１２２には、各車両Ｃの位置情報の履歴が車載装置１毎に記憶される。
【０１１２】
車両情報ＤＢ１２３は、各車載装置１から送信される各車両Ｃの車載センサ３２によって検出されたセンサ値等の車両情報を管理するデータベースである。例えば、車両情報ＤＢ１２３には、車載装置１毎に時系列のセンサ値等の車両情報が記憶される。
【０１１３】
画像情報ＤＢ１２４は、各車載装置１から送信されるカメラ画像を管理するデータベースである。例えば、画像情報ＤＢ１２４には、カメラ画像に対して、車載装置ＩＤ、撮像時刻、撮像位置に関する情報が対応付けられて記憶される。検出条件ＤＢ１２５は、各車載装置１で記憶された検出条件情報２２（図２参照）を管理するデータベースである。
【０１１４】
制御部１１０は、各車載装置１から送信される目的地点Ｐｔを撮像可能な車両（配信車両）の選定要求や目的地点Ｐｔの選定要求に基づき、配信車両や目的地点Ｐｔの選定を行う。
【０１１５】
取得部１１１は、各車載装置１から所定の周期で送信される各種情報を取得する。具体的には、取得部１１１は、各車載装置１から位置情報を取得し、位置情報ＤＢ１２２へ格納する。
【０１１６】
また、取得部１１１は、各車載装置１から車載センサのセンサ値等の車両情報を取得し、車両情報ＤＢ１２３へ格納する。また、取得部１１１は、各車載装置１からカメラ画像を取得し、画像情報ＤＢ１２４へ格納する。
【０１１７】
選択部１１２は、上述の配信車両の選定要求や目的地点Ｐｔの選定要求に基づき、配信車両や目的地点Ｐｔを選択する。選択部１１２は、車載装置１から目的地点Ｐｔが指定される場合、配信車両をユーザ情報ＤＢ１２１の現在地や走行経路等に基づいて選択する。
【０１１８】
なお、選択部１１２は、目的地点Ｐｔを撮像可能な車両が複数存在する場合、複数の配信車両を選択することにしてもよいし、例えば、所定条件に基づき、１つの配信車両を選択することにしてもよい。
【０１１９】
また、選択部１１２は、車両毎に目的地点Ｐｔの撮像時刻（通過時刻）が異なる場合、時刻毎に異なる車両を配信車両として選択することもできる。
【０１２０】
また、選択部１１２は、渋滞の先頭など、車載装置１側で目的地点Ｐｔを判別できない場合、例えば、各車両の走行情報や交通情報サーバ１０１から通知される交通情報に基づいて目的地点Ｐｔを選択することもできる。
【０１２１】
また、選択部１１２は、車載装置１から過去のカメラ画像を要求された場合、要求されたカメラ画像を画像情報ＤＢ１２４から選択することも可能である。
【０１２２】
通知部１１３は、選択部１１２による選択結果を各車載装置１へ通知する。具体的には、通知部１１３は、選択部１１２によって選択された配信車両のＩＰアドレスや、目的地点Ｐｔの位置情報に関する情報等を目的画像を受信する受信車両に対して通知する。また、通知部１１３は、選択部１１２によって画像情報ＤＢ１２４から選択されたカメラ画像を上記の受信車両に対して送信することも可能である。
【０１２３】
次に、図１１を用いて、実施形態に係る車載装置１および管理サーバ１００が実行する処理手順について説明する。図１１は、車載装置１が実行する処理手順を示すフローチャートである。なお、以下に示す処理手順は、車載装置１によって繰り返し実行される。
【０１２４】
図１１に示すように、車載装置１は、まず、自車両の乗員がカメラ画像の要求を意図するシチュエーションを検出したか否かを判定する（ステップＳ１０１）。ここで、車載装置１は、上記のシチュエーションを検出した場合（ステップＳ１０１，Ｙｅｓ）、配信車両や管理サーバ１００に対して、目的画像の配信を要求する（ステップＳ１０２）。
【０１２５】
続いて、車載装置１は、目的地点Ｐｔの俯瞰画像を生成し（ステップＳ１０３）、ステップＳ１０３にて生成した俯瞰画像を表示する（ステップＳ１０４）。なお、この処理による俯瞰画像は目的地点Ｐｔの俯瞰画像であるが、俯瞰画像の中心地点や縮尺、またイラスト／実画像を変化させる場合は、それらの条件にあった映像の選択・収集や映像加工処理を行うことになる。その後、車載装置１は、受信した目的画像を表示して（ステップＳ１０５）、処理を終了する。
【０１２６】
また、車載装置１は、ステップＳ１０１の判定処理において、上記のシチュエーションを検出していない場合（ステップＳ１０１，Ｎｏ）、ステップＳ１０１の処理を継続して行う。
【０１２７】
次に、図１２を用いて、実施形態に係る管理サーバ１００が実行する処理手順について説明する。図１２は、管理サーバ１００が実行する処理手順を示すフローチャートである。なお、以下に示す処理手順は、管理サーバ１００によって繰り返し実行される。
【０１２８】
図１２に示すように、管理サーバ１００は、各車載装置１から送信される配信要求を取得したか否かを判定する（ステップＳ２０１）。管理サーバ１００は、配信要求を取得した場合（ステップＳ２０１，Ｙｅｓ）、配信要求によって指定された目的画像は過去画像か否かを判定する（ステップＳ２０２）。
【０１２９】
管理サーバ１００は、配信要求によって指定された目的画像は過去画像でなかった場合（ステップＳ２０２，Ｎｏ）、配信車両を選択し（ステップＳ２０３）、配信要求を送信した車載装置１に対して、配信車両に関する情報を通知して（ステップＳ２０４）、処理を終了する。
【０１３０】
また、管理サーバ１００は、ステップＳ２０１の判定処理において、配信要求を取得しなかった場合（ステップＳ２０１，Ｎｏ）、ステップＳ２０１の処理を継続して行う。また、管理サーバ１００は、ステップＳ２０２の判定処理において、配信要求によって指定された目的画像は過去画像であった場合（ステップＳ２０２，Ｙｅｓ）、画像情報ＤＢ１２４から選択した指定され過去画像を配信して（ステップＳ２０５）、処理を終了する。
【０１３１】
なお、管理サーバ１００は、保有・収集した映像データを選択・加工することにより、位置・縮尺・時間を変えた映像を生成することができ、配信要求のあった映像条件に従った映像を生成して配信することになる。
【０１３２】
上述したように、実施形態に係る車載装置１は、検出部１２と、表示部５１（目的地画像表示部の一例）と、表示制御部１６とを備える。検出部１２は、目的地点付近のカメラ画像の表示要望に該当するシチュエーションを検出する。
【０１３３】
表示部５１は、検出部１２によって検出されたシチュエーションに基づく目的地点付近が撮像されたカメラ画像である目的画像を表示する。表示制御部１６は、目的地点付近の俯瞰画像を経て、目的画像を表示するように表示制御を行う。したがって、実施形態に係る車載装置１によれば、ユーザビリティを向上させることができる。
【０１３４】
ところで、上述した実施形態では、各車両に搭載された車載装置１間で、カメラ画像の送受信を行う場合について説明したが、これに限定されるものではない。すなわち、各車載装置１は、常に管理サーバ１００を介してカメラ画像の送受信を行うことにしてもよい。
【０１３５】
また、車載装置１間の通信については、例えば、Ｗｉ−Ｆｉ（登録商標）などの近距離無線通信を用いるなど、車両間の距離に応じて適宜変更することにしてもよい。さらに、カメラ映像の伝送のかかる遅延時間を減らすために、Ｗｉ−Ｆｉおよび携帯電話網の両方の通信を使用し、所謂リンクアグリゲーションを用いてカメラ映像やカメラ映像に紐づく車両情報、位置情報を配信先車両または管理サーバ１００へ送信する構成であってもよい。
【０１３６】
また、上述した実施形態では、受信車両が車両で撮像されたカメラ画像を受信する場合について説明したが、これに限定されるものではない。すなわち、受信車両は、街路灯や信号機と言ったインフラ設備に設置された固定カメラで撮像されたカメラ画像を受信することにしてもよい。
【０１３７】
また、実施形態に係る配信システムＳにおいては、管理サーバ１００の機能の一部または全てを各車載装置１で担う構成とすることにしてもよいし、あるいは、各車載装置１の機能の一部または全てを管理サーバ１００が担う構成とすることにしてもよい。
【０１３８】
さらなる効果や変形例は、当業者によって容易に導き出すことができる。このため、本発明のより広範な様態は、以上のように表しかつ記述した特定の詳細および代表的な実施形態に限定されるものではない。したがって、添付の特許請求の範囲および、その均等物によって定義される統括的な発明の概念の精神または範囲から逸脱することなく、様々な変化が可能である。
【符号の説明】
【０１３９】
１    車載装置
１１    送信部
１２    検出部
１３    補正部
１４    受信部
１５    生成部
１６    表示制御部
５０    表示装置
５１    表示部（目的地画像表示部の一例）
５２    操作部
１００    管理サーバ
１１１    取得部
１１２    選択部
１１３    通知部
Ｓ    配信システム
【図１Ａ】
2020123071.tif 000003
【図１Ｂ】
2020123071.tif 000004
【図１Ｃ】
2020123071.tif 000005
【図２】
2020123071.tif 000006
【図３】
2020123071.tif 000007
【図４】
2020123071.tif 000008
【図５】
2020123071.tif 000009
【図６】
2020123071.tif 000010
【図７】
2020123071.tif 000011
【図８】
2020123071.tif 000012
【図９】
2020123071.tif 000013
【図１０】
2020123071.tif 000014
【図１１】
2020123071.tif 000015
【図１２】
2020123071.tif 000016